(57)【要約】      （修正有）【課題】誰もが力いらずに簡単に着脱できるすべり落ち防止寝具を提供する。【解決手段】寝具本体１の周縁に力布３を形成し、力布３にハト目穴やリング等の係合部２を形成した。ベット本体４や敷寝具の周縁にもＬ字釘等の係合部６を形成し、これらの係合部を互いに、ゴム製、繊維製等で伸縮性のある緊結材７で連繋したことにより、寝具本体のすべり落ち防止を確実にしたものである。【選択図】図１
0003143589.tif 000002
【実用新案登録請求の範囲】
【請求項１】
上下ふとん，肌ぶとん，毛布，タオルケット，バスタオル，敷パット，シーツ，ふとんカバー，ベットカバー，防水パット等の寝具本体の周縁にコの字に連続した力布を形成し、該力布に複数のハト目穴等を形成して寝具本体の係合部とし、
ベット外枠やベットマット等のベット本体の周縁の三方向に複数の雌ネジを形成し、該雌ネジにＬ字釘フック等の各種形態の雄ネジを着脱可能とし、互換性のあるベット本体の係合部とし、
該寝具本体の係合部と該ベット本体の係合部を、互いにゴム製や繊維製等紐の先にフックやリングを形成した各種形態の伸び代の大きい伸縮性のある緊結材で連繋したすべり落ち防止寝具。
【請求項２】
上記の寝具本体がベットカバーの場合、ベットカバーの裏面のベットマットに対向した位置にコの字に連続した力布を形成し、該力布に複数のハト目穴等を形成し寝具本体の係合部とし、
ベット外枠やベットマット等のベット本体の周縁の三方向に複数の雌ネジを形成し、該雌ネジにＬ字釘フック等の各種形態の雄ネジを着脱可能とし、互換性のあるベット本体の係合部とし、
ベットカバーの係合部とベット本体の係合部を、互いにゴム製や繊維製等紐の先にフックやリングを形成した各種形態の伸び代の大きい伸縮性のある緊結材で連繋したすべり落ち防止寝具。
【請求項３】
上下ふとん，肌ぶとん，毛布，タオルケット，バスタオル，敷パット，シーツ，ふとんカバー，ベットカバー，防水パット等の寝具本体の四方周縁に連続した力布を形成し、該力布に複数のハト目穴等を形成して寝具本体の係合部とし、
ベット外枠やベットマット等のベット本体の周縁の三方向に複数の雌ネジを形成し、該雌ネジにＬ字釘フック等の各種形態の雄ネジを着脱可能とし、互換性のあるベット本体の係合部とし、
該寝具本体の係合部と該ベット本体の係合部を、互いにゴム製や繊維製等紐の先にフックやリングを形成した各種形態の伸び代の大きい伸縮性のある緊結材で連繋したすべり落ち防止寝具。
【考案の詳細な説明】
【技術分野】
【０００１】
本考案は、寝具本体の周縁に複数のハト目穴やリング等の係合部を形成したことにより、ベット外枠やベットマットに形成した係合部とを、互いに伸び代の大きい伸縮性のある緊結材により連繋することができるため、寝具をベットからすべり落とさないことを目的とした寝具類に関するものである。
【背景技術】
【０００２】
従来、寝具は身体の上下に使用して就寝するものであるが、寝返り等で複数の寝具は、ずれて身体やベットからすべり落ちることが否めない。そのため子供達は風邪をひいたり、子供達を見守る保護者は風邪をひかせまいと安眠できない。
又、年齢を重ねたりケガを負った場合には、ふとんのずれによる冷え痛みに気付いても、寝具を引き上げたり元に戻すことが苦痛であった。複数枚重ねると余計整理が困難になる。
【０００３】
ベットメイキングは毎日のことであるので、体力や握力の低下した高齢者やケガを負った場合は、より苦痛となる。体力のある場合でも、ホテルでのベットメイキングのような毎日の作業は、個人家庭では時間と手間を考えると主婦にとっては大変な作業である。
【０００４】
これに対し、ベットの両側面に寝具のすべり落ち防止柵を着脱可能にしている場合、これはベットの幅より寝具の幅が広いため、シワだらけのベットメイキングになっている。このシワだらけの中で眠ることは、寝ている本人も、見た目も気持ちのよいものではない。
【０００５】
又、四隅に平ゴムの付いた敷パットがあるが、洗濯を重ねると平ゴムが伸びきって効果がなくなる。元気に生活ができている間はこの平ゴムの付け替えも可能だが、不器用であったり、握力がなくなれば、ゴムに針を通すのにはかなりの力を要すため、平ゴムを元の状態に付け替えるのは困難である。
【０００６】
上記問題点に対し、特開２００１−２８６３７８号公報に次のような提案がなされている。本提案は、ふとんカバーを利用したふとんのずり落ち防止案に、ふとんカバーの一方向にのみ布紐を形成し、ベットの枠板にまわし結んだ布紐とを連繋するものである。この場合布紐では、ずれたふとんが元の状態に戻らないし、一方向にのみ布紐を形成しているので、蹴とばされたふとんカバーは布紐が形成されている側に落ちてしまう。
さらに壁側にベットを押し付けての使用であれば、ベットメイキングの都度ベットを動かさなければならない。
【０００７】
又、登録実用新案第３０００４７３号公報には次のような提案がなされている。本提案は、ベットカバーを上部カバーと下部カバーに分離し、下部カバーの上に掛けぶとんをのせて布紐で結び、その後上部カバーをかぶせて上下カバーをボタンホールとボタンで係止し、下部カバー足元の垂れ下り部をベットマットの下部に差し込んで、ふとんカバーのずり落ちを防止している。大変な手間をかけての作業であるが、健康な人達にとっては何でもないことが、高齢化社会を迎えるとボタンホールにボタンを入れる作業さえ不自由となり、布紐が切れたり、ボタンが取れた場合の修繕は困難である。
【特許文献１】特開２００１−２８６３７８号公報
【特許文献２】登録実用新案３０００４７３号公報
【考案の開示】
【考案が解決しようとする課題】
【０００８】
寝具のすべり落ち防止手段として、寝具に紐やボタンホールを取り付けた場合、紐が切れたりボタンホールがほころびたりと、修繕が必要になるが、ケガや高齢等によりその修繕ができない場合を考えて、取り扱いが簡単であり、手の力が減少しても寝起きに関する自立ができ、ふとんのすべり落ちを気にせずに安眠できることが望まれる。
【０００９】
洗濯時に、布紐を寝具本体に形成していると絡まることもあり、乾燥後のアイロン掛けも紐までとなると大変な作業となるため、すべり落ち防止部を形成した寝具でありながらシンプルなデザインが望まれる。
【００１０】
ベットメイキングは労力を必要とするが、本考案は寝具本体に形成した係合部とベット本体に形成した係合部とを、互いに伸び代の大きい伸縮性のある緊結材で連繋することで、誰れでもが力いらずに簡単に着脱できるすべり落ち防止寝具を提供することを目的とするものである。
【課題を解決するための手段】
【００１１】
上下ふとん，肌ぶとん，毛布，タオルケット，バスタオル，敷パット，シーツ，ふとんカバー，ベットカバー，防水パット等の寝具本体の周縁にコの字に連続した力布を形成し、該力布に複数のハト目穴等を形成して寝具本体の係合部とし、ベット外枠やベットマット等のベット本体の周縁三方向に複数の雌ネジを成形し、該雌ネジにＬ字釘フック等の各種形態の雄ネジを着脱可能とし、互換性のあるベット本体の係合部とし、該寝具本体の係合部と該ベット本体の係合部を、互いにゴム製等紐や繊維製等紐の先にフックやリングを形成した各種形態の伸び代の大きい伸縮性のある緊結材で連繋する。
【００１２】
上記の寝具本体がベットカバーの場合、ベットカバーの裏面のベットマットに対向した位置にコに字の連続した力布を形成し、該力布に複数のハト目穴等を形成し寝具本体の係合部とし、ベット外枠やベットマット等のベット本体の周縁の三方向に複数の雌ネジを形成し、該雌ネジにＬ字釘フック等の各種形態の雄ネジを着脱可能とし、互換性のあるベット本体の係合部とし、ベットカバーの係合部とベット本体の係合部を、互いにゴム製等紐や繊維製等紐の先にフックやリングを形成した各種形態の伸び代の大きい伸縮性のある緊結材で連繋する。
【００１３】
上下ふとん，肌ぶとん，毛布，タオルケット，バスタオル，敷パット，シーツ，ふとんカバー，ベットカバー，防水パット等の寝具本体の四方周縁に連続した力布を形成し、該力布に複数のハト目穴等を形成して寝具本体の係合部とし、ベット外枠やベットマット等のベット本体の周縁の三方向に複数の雌ネジを形成し、該雌ネジにＬ字釘フック等の各種形態の雄ネジを着脱可能とし、互換性のあるベット本体の係合部とし、該寝具本体の係合部と該ベット本体の係合部を、互いにゴム製等紐の先にフックやリングを形成した各種形態の伸び代の大きい伸縮性のある緊結材で連繋する。
【考案の効果】
【００１４】
本考案は、上記寝具本体の四方周縁又は、コの字に連続した力布を形成し、該力布に複数のハト目穴やリング等の係合部を形成し、ベット外枠やベットマット等のベット本体に複数の雌ネジを形成し、Ｌ字釘フック等の係合部を形成し、寝具本体の係合部とベット本体の係合部を互いに伸び代の大きい伸縮性のある緊結材で連繋することにより、簡単に寝具本体を片寄ることなく均等にセッティングすることができるようになったとともに、寝具本体のすべり落ちを防止することができるようになった。又、その結果ベットメイキングが著しく簡単に行えるようになった。
【００１５】
本考案は、布紐のように両手を使用して結ぶ行為等をする必要がなく、ハト目穴は口を丸く開けているため片手で係止することもでき、筋力の弱くなった高齢者やケガを負った場合にも、取扱いが簡単に行えるようになった。
【００１６】
ハト目穴は円形であるため、引っ張られる力に耐えることができるので、布紐やボタンホール等を形成した際のように切れたり、ほころびたりを繕う手間が著しく省けることができるようになった。
【００１７】
本考案のすべり落ち防止寝具は、度重なる寝返りにも上記寝具本体がベットからすべり落ちることがないため、風邪をひくことを気にせずに安眠できて、ベットメイキングの簡単さや、シンプルなデザインは老若男女を問わず自立を促すという効果がある。
【００１８】
上記寝具本体の係合部には力布を形成後にハト目穴やリング等を形成し、ベット外枠には雌ネジを形成後にＬ字釘等の係合部を形成し、ベットマットには力布を形成後にハト目穴等の係合部を形成する等、各々の係合部さえしっかりと形成されていれば、緊結材のゴム製や繊維製等の伸縮部分が伸びてきても、緊結材のみの取り替えで解決する。
さらに、緊結材が手元になくても、針や糸等の裁縫道具を使用することなく、ただのゴム紐を結んで使用することも可能であり、綿ロープやビニール紐で応急処置も可能であり、手間を必要としないことは、誰にでも少い力で楽に使える便利さがある。
【００１９】
一度のベットメイキングで、汚れの心配のない冬場であれば、本考案の前記寝具本体の設置により、半月から１ヶ月の間でも、元の状態を保つことができるため、一人暮しの高齢者には強い味方となる。
【００２０】
長い間の腰痛患者の場合、同じ姿勢でいることが大変な苦痛であるため、足や腰を何度も何度も曲げのばすことになるが、本考案のすべり落ち防止具は、それでもベットメイキング当初の状態を保つため、健康に自信のない者にも強い味方である。
【００２１】
本考案のすべり落ち防止寝具は、前記寝具本体の係合部とベット外枠やベットマット等の係合部がしっかりと形成され、伸縮性のある緊結材によりベットメイキングをするようにしたので、ゴム製、繊維製等の伸び代の大きい伸縮性のある緊結材の効果により、寝返りの際に寝具本体が身体に大きくついてくることがなく、元の状態を保つため、ふとんの中で軽いストレッチさえ可能としている。
【００２２】
季節の変り目には、本考案の寝具本体は、寝具の両端から足を出して温度調節をすることができ、伸び代の大きい伸縮性の緊結材の効果でベットメイキングは元の状態を保ち、寝冷えや風邪の防止ができるようになった。
【００２３】
本考案の寝具本体は、周縁にハト目穴等を形成しているが、本考案の使用目的でなくても、ハト目穴の色や形の多様化により、グッドデザインとしての効果がある。
【００２４】
敷ぶとんを使用して就寝する場合、前記寝具本体で敷寝具を包み込み、寝具本体に形成した係合部同士を、互いにゴム製、繊維製等の伸び代の大きい伸縮性のある緊結材で連繋する場合と、敷寝具の周縁に複数形成した係合部と前記寝具本体の係合部を伸び代の大きい伸縮性のある緊結材で連繋する場合があるが、どちらも伸縮性のある緊結材で連繋したので、前記のベットでの使用方法と同じ効果が得られるため、寝冷えや風邪の防止ができるようになった。
【００２５】
本考案は、前記寝具本体が朝まですべり落ちることがないため、空調の整った部屋でなくても冷えや寒さを気にせず就寝できるため、地球温暖化防止のためにも、省エネルギーのためにも重要な役目を果すことができる。
【００２６】
本考案は、寝具本体をベットからすべり落とさないで、次回の洗濯時まで、一度のベットメイキングで事足りることを目的として、高齢者や弱者のために発案したものであるが、ハト目穴やリング等を寝具本体に形成したことで、寝具に紐やボタンホールを成形した場合のように修繕の必要がなく、破れたら捨てる、ちぎれたら捨てるといった行為を最小限に留め、地球資源の有効利用の一端を担うことができる。
【考案を実施するための最良の形態】
【００２７】
本考案によるすべり落ち防止寝具の最良の形態を図面により詳細に説明する。図1は本考案によるすべり落ち防止寝具を示す斜視図で、図２は同寝具の平面図であり、図３はすべり落ち防止寝具をベットに装備した場合の断面図である。
図１，２，３において１は上下ふとん，肌ぶとん，毛布，タオルケット，バスタオル，敷パット，シーツ，防水パット，ふとんカバー，ベットカバー等の寝具本体を示し、該寝具本体１の周縁にハト目穴２ａやリング２ｂ等の係合部２を形成している。
寝具本体１に力布３を形成後に係合部２を形成することでより強度が増す。
【００２８】
次は図１によりベット本体４の係合部６についての説明をする。ベット本体４の外枠４ａの周縁に複数の雌ネジ５を成形し、該雌ネジ５に係合部６を螺合する。該係合部６は同図示のように種々の形状のものが考えられるが、本願の思想と同じであればいずれでもよい。本実施例ではＬ字釘フック６ａ，ハート頭の雄ネジ６ｂ，幾何学形状の雄ネジ６ｃ，コの字形状フック６ｄ等が示されている。これらは同図に示されているが、実用段階においては同じ形状の係合部６で統一して製造されることは言うまでもない。
ハート頭の雄ネジ６ｂや幾何学形状の雄ネジ６ｃは、ベット外枠４ａの周縁に形成した雌ネジ５を塞ぐ役目があり、ハート頭の雄ネジ６ｂ等は少し締め戻すとベット外枠４ａとに隙間ができ、ハート頭の雄ネジ６ｂや幾何学形状の雄ネジ６ｃは係合部６としての役目も果す。
雌ネジ５を多数形成したのは、寝具本体１の位置を好みの場所に装備するため係合部６の位置もずらす必要があるためである。
係合部６をＬ字釘フック６ａに付け替えることでより簡便になり、必要に応じてコの字形状フック６ｄが簡便な場合もある。
【００２９】
次にベットマット４ｂの周縁に係合部６を形成したことを図１で説明する。
ベット外枠４ａに係合部６が形成できない場合や、手動や電動によりベットマット４ｂが大きく持ち上がる場合等には、ベットマット４ｂに力布３ｂを形成後に空気穴を兼ねたハト目穴６ｅや、ベットマット４ｂの縫製部分に力布３と共にリング６ｆを係合部６として形成する。
【００３０】
ベット外枠４ａもベットマット４ｂも係合部６の目的は同じであるため、共に係合部６としての役目が果せるならば形成場所は問わない。
【００３１】
パイプベットには裏下面に強力両面テープ付きフックを係合部６として形成することもできる。
【００３２】
次は図１により緊結材の各種形態を説明する。
緊結材７はゴム製や繊維製等の伸び代の大きい伸縮性のある素材で形成した紐の先の片方にリングを形成したゴム製等紐７ａ，片方にフックもう片方にリングを形成したゴム製等紐７ｂ，両端にフックを形成したゴム製等紐７ｃ，片方にマンボボタンを形成したゴム製等紐７ｄ，両端にマンボボタンを形成したゴム製等紐７ｅ，片方にマンボボタンもう片方にリングを形成したゴム製等紐７ｆを図１で示したが、これらの素材や形態は特定するものではなく、伸び代の大きい伸縮性のある緊結材７であれば互換性があるため用途により使い分けることができ便利である。
なお、緊結材７の場合も前記したように、実用段階においては同じ緊結材７で統一して使用されることは言うまでもない。
【００３３】
次に図１により本考案によるすべり落ち防止寝具１をベット本体４に装備する方法を説明する。
同図には本考案のあらゆる符号を図示しているが、寝具本体１の係合部２とベット本体４の係合部６と更に伸び代の大きい伸縮性のある緊結材７によって成立している。
前記寝具本体１の周縁には複数のハト目穴２ａやリング２ｂ等の係合部２が形成されている。
ベット外枠４ａには雌ネジ５を形成後にＬ字釘フック６ａを係合部として螺合しておく。
前記寝具本体１の一側面全ての係合部２とベット外枠４ａの一側面全ての係合部６を伸縮性のある緊結材７で連繋する。
該寝具本体１のもう片側半分の係合部２とベット外枠４ａのもう片側半分の係合部６を足元から順に伸び代の大きい伸縮性のある緊結材７で連繋する。
寝具本体１が複数枚の場合は、頭に近い場所の複数の係合部２をマンボボタンで一度に係止し、もう一方のリングをＬ字釘フック６ａに掛けて、緊結材７を使用してのベットメイキングは完了となる。
【００３４】
図１で使用方法を説明する。上述の該寝具本体１の係合部２とベット外枠４ａの係合部６とを連繋しなかった場所がベットへの出入口となり、頭に近い場所の緊結材７を係合部６から外し、身体をベットにすべり込ませた後に再び緊結材７で係合部６に連繋する。
ベットへの出入りは該係合部６一ヶ所のみを緊結材７の掛け外しにより行うことができ、緊結材７が伸び代の大きい伸縮性であるため寝具本体１がすべり落ちることなく快眠が朝まで持続し、ベットメイキングは元の状態のままである。
【００３５】
図１でベットマット４ｂに係合部６を形成した場合の使用方法を説明する。ベットマット４ｂには力布３ｂを形成後に係合部６を形成することでより頑丈なものにできる。
前記寝具本体１の係合部２とベットマット４ｂの係合部６を互いに伸び代の大きい伸縮性のある緊結材７で連繋する。
ベットマット４ｂが手動や電動によらず起き上り停止した場合は、伸び代の大きい伸縮性のある緊結材７が効力を発揮し、上半身をベットマット４ｂと共に起こした状態でも寝具本体１は身体からすべり落ちることがなく、介護者が目を離しても要介護者を冷えから守ることができる。
【００３６】
図２は前記寝具本体１の平面図である。該寝具本体1に係合部２としてハト目穴２ａやリング２ｂを形成している。ハト目穴２ａは円で形成されており引っ張られる力には強いが、ハート形の力布３ａや各種形状の力布３ｂを形成後にハト目穴２ａやリング２ｂ等の係合部２を形成すればより頑丈なものとなる。
【００３７】
図３は上記寝具本体１をベット本体４に装備した場合の断面図である。該寝具本体１には力布３を形成後にハト目穴２ａ等の係合部２を形成している。ベット外枠４ａに雌ネジ５を形成しておくことで、互換性のある係合部６は使用目的に応じることができ、同図ではＬ字釘フック６ａを螺合している。
寝具本体１の係合部２とベット外枠４ａの該Ｌ字釘フック６ａを互いに伸び代の大きい伸縮性のある緊結材７で連繋している。
【実施例１】
【００３８】
図４は寝具本体１をベットカバー１ａとした場合の実施例を示し、該ベットカバー１ａの裏面の平面図である。ベットカバー１ａは裏地８と該裏地に付けた力布３さらに垂れ布９で形成されており、裏地８又は、力布３に係合部２としてハト目穴２ａやリング２ｂを形成している。
【００３９】
図５は本考案の寝具本体１をベットカバー１ａとした場合の装備状態を示す断面図である。
本実施例のベットカバー１ａには裏地８の周縁に力布３を形成し、該力布３にハト目穴２ａやリング２ｂ等の係合部２が形成されており、ベット外枠４ａやベットマット４ｂに形成した係合部６と該係合部２とを、互いにゴム製や繊維製等で伸び代の大きい伸縮性のある緊結材７で連繋している。
緊結材７はベットカバー１ａの垂れ布９で隠され、外から見ただけでは確認できないようになっている。
【実施例２】
【００４０】
図６は寝具本体１を敷パット１ｂとした場合の実施例を示す平面図である。
従来の平ゴムを形成した敷パット１ｂは、ゴムが伸び切った後の付け替えの手間と苦労を考え、本考案では敷パット１ｂにもハト目穴２ａやリング２ｂ等の係合部２を形成した。
力布３の形状はハート形の力布３ａでも円形や三角形等の各種形状の力布３ｂでも四方周縁に力布３を成形してもよい。
なお、本図では力布３を一部にしか図示していないが、係合部２全てに形成しておくことが望ましい。上記の四方周縁とは、寝具本体の四方に連続した周縁のことを示す。
【００４１】
図7は寝具本体１を敷パット１ｂとして、敷ぶとん１ｃやマットレス１ｄに装備した場合の斜視図である。
上述のように、敷パット１ｂに各種形状の力布３ｂを形成後にハト目穴２ａ等の係合部２を形成したことにより、敷ぶとん１ｃやマットレス１ｄに形成したハト目穴６ｅやリング６ｆ等の係合部６とを、互いに伸び代の大きい伸縮性のある緊結材７で連繋することも、敷パット１ｂの四隅の係合部２同士を、緊結材７で敷寝具の下に掛けた後に連繋することもできる。
従来の平ゴムを形成している敷パットとの違いは、傷んだゴムを針や糸を使用せずに簡単に取り替えられることであり、寝具本体１を長く使用できることである。
【実施例３】
【００４２】
図８は寝具本体１の周縁に力布３を形成後、ハト目穴２ａやリング２ｂ等を係合部２として形成したものを示す平面図である。
上掛けぶとんのように厚みがあり直接係合部２が形成できない場合や、ふとんカバーのように袋状になっていると、ふとんカバーの端布を二枚一度に係合部２を形成することになり、洗濯後の係合部２近くにゴミが溜まることを否めない。
寝具本体１の周縁に力布３を形成したことにより、該力布３に形成した係合部２の目的をより頑丈なものにでき、上記不具合も解消できた。
又、シンプルなデザインのためにも、本実施例は前記寝具本体１の全てに適用できる。
【００４３】
本実施例を夏場の赤ちゃんのために、寝具本体１をバスタオルで適用できることは言うまでもない。
バスタオルの四方周縁に力布３を形成後に係合部２を形成すると、度重なる洗濯に耐えることができる。
又、図２に示すようにハート形の力布３ａを形成後にハト目穴２ａを形成するなど、該力布３ａをキャラクター形状や各種形状３ｂに形成後に係合部２を形成すると可愛いい仕上がりとなる。
ベット外枠４ａの係合部６もハート頭の雄ネジ６ｂを螺合するなど、雄ネジの頭を可愛いいものとする。
赤ちゃんは足を高く蹴り上げるので、バスタオルの係合部２はお腹の左右のみを、ベット本体４の係合部６と、互いに伸び代の大きい伸縮性のある緊結材７で連繋する。
又、足元が気になるようであれば、足元の緊結材７は少し長目のゴム製等の紐で連繋すると、バスタオルは何度蹴り上げられても赤ちゃんのお腹の上に留まっているため、寝冷えをさせることなく、保護者の睡眠不足も軽減される。
【００４４】
また、本実施例を病院や自宅介護の場合に適用すると、敷寝具の上に汚れ防止を兼ねて、タオルケット，バスタオル，シーツ，敷パット，防水パット等を重ねて使用して、汚れる度に取り替えるが、長く病臥して衰弱している者にとっては、バスタオル等の寝具本体１の少しのシワでも床擦れの元となる。
本考案の寝具本体１にはハト目穴２ａ等の係合部２が形成されているため、緊結材７の伸び代の大きい伸縮性を利用してベット本体４との連繋が短時間にできるため、バスタオル等の寝具本体１の表面をピンと張ることで、シワのない仕上りは病人の負担を一段と軽減させる。
【実施例４】
【００４５】
図９は敷寝具と組み合わせる寝具本体１を掛けぶとんにした場合の裏面の平面図である。
寝具本体１の裏面にコの字に力布３を形成し、該力布３の周縁にハト目穴２ａ等の係合部２を形成している。ふとんカバー類にも利用でき、補強のためと外から係合部２を確認できないことは、図４のベットカバー１ａに相当している。
【００４６】
図１０は敷寝具に寝具本体１を装備した場合の断面図である。
シーツ１ｅで敷ぶとん１ｃやマットレス１ｄを包み込んだあと、シーツ１ｅの係合部２同士を敷寝具の裏面を通した緊結材７で連繋している。
シーツ１ｅの上に毛布１ｆを掛け、上述と同じく毛布１ｆの係合部２同士を緊結材７で連繋している。
又、寝具本体１を複数枚使用する場合、該係合部２の重なる場所を一度にまとめて緊結材７で連繋することも可能である。
なお、１０は就寝者を示す。
【００４７】
図１１は、図９で示した寝具本体１の掛けぶとんを敷寝具に装備した場合の断面図である。
まず、敷パット１ｂの四隅の係合部２をマットレス１ｄの下を通した緊結材７で連繋している。
敷パット１ｂの上に掛けぶとんを装備して、該掛けぶとんに形成した係合部２とマットレス１ｄに形成した係合部６を緊結材７で連繋している。
【００４８】
冬場になり身体に掛ける寝具本体１の枚数が多くなる場合は、図１０で示すように複数の寝具本体１を装備後に掛けぶとんを図１１で示すように掛ける。
同図と違うところは、掛けぶとんの係合部２同士を敷寝具１の裏面を通した緊結材７で連繋したことである。
上述のように敷寝具１への装備も、ベットメイキングの場合と同じく、毎日ふとんの上げ下ろしが苦痛の場合等は本考案が有効である。
【図面の簡単な説明】
【００４９】
【図１】本考案によるすべり落ち防止寝具をベットに装備した斜視図である。
【図２】本考案によるすべり落ち防止寝具の平面図である。
【図３】本考案によるすべり落ち防止寝具をベットに装備した断面図である。
【図４】本考案によるすべり落ち防止寝具の寝具本体をベットカバーとした場合の裏面の平面図である。
【図５】本考案によるすべり落ち防止寝具の寝具本体をベットカバーとしてベットに装備した断面図である。
【図６】本考案によるすべり落ち防止寝具の寝具本体を敷パットとした場合の平面図である。
【図７】本考案によるすべり落ち防止寝具の寝具本体を敷パットとして敷寝具に装備した斜視図である。
【図８】本考案によるすべり落ち防止寝具の寝具本体の周縁に力布を形成した平面図である。
【図９】本考案によるすべり落ち防止寝具の寝具本体を掛けぶとんとした場合の裏面の平面図である。
【図１０】本考案によるすべり落ち防止寝具の寝具本体を敷寝具に装備した断面図である。
【図１１】本考案によるすべり落ち防止寝具の寝具本体を掛けぶとんとして敷寝具に装備した断面図である。
【符号の説明】
【００５０】
１，１ａ，１ｂ，１ｃ，１ｄ                寝具本体
１ｅ，１ｆ                                敷寝具
２，２ａ，２ｂ                            係合部
３，３ａ，３ｂ                            力布
４                                        ベット本体
４ａ                                      ベット外枠
４ｂ                                      ベットマット
５                                        雌ネジ
６，６ａ，６ｂ，６ｃ，６ｄ，６ｅ，６ｆ    係合部
７，７ａ，７ｂ，７ｃ，７ｄ，７ｅ，７ｆ    緊結材
８                                        裏地
９                                        垂れ布
１０                                        就寝者
【図１】
0003143589.tif 000003
【図２】
0003143589.tif 000004
【図３】
0003143589.tif 000005
【図４】
0003143589.tif 000006
【図５】
0003143589.tif 000007
【図６】
0003143589.tif 000008
【図７】
0003143589.tif 000009
【図８】
0003143589.tif 000010
【図９】
0003143589.tif 000011
【図１０】
0003143589.tif 000012
【図１１】
0003143589.tif 000013
【手続補正書】
【提出日】平成20年5月23日(2008.5.23)
【手続補正１】
【補正対象書類名】実用新案登録請求の範囲
【補正対象項目名】全文
【補正方法】変更
【補正の内容】
【実用新案登録請求の範囲】
【請求項１】
上下ふとん，肌ぶとん，毛布，タオルケット，バスタオル，敷パット，シーツ，ふとんカバー，ベットカバー，防水パット等の寝具本体の周縁にコの字に連続した力布を形成し、該力布に複数のハト目穴等を形成して寝具本体の係合部とし、
ベット外枠やベットマット等のベット本体の周縁の三方向に複数の雌ネジを形成し、該雌ネジにＬ字釘フック等の各種形態の雄ネジを着脱可能とし、互換性のあるベット本体の係合部とし、
該寝具本体の係合部と該ベット本体の係合部を、互いにゴム製や繊維製等紐の先にフックやリングを形成した各種形態の伸び代の大きい伸縮性のある緊結材で連繋したすべり落ち防止寝具。
【請求項２】
上記の寝具本体がベットカバーの場合、ベットカバーの裏面のベットマットに対向した位置にコの字に連続した力布を形成し、該力布に複数のハト目穴等を形成し寝具本体の係合部とし、
ベット外枠やベットマット等のベット本体の周縁の三方向に複数の雌ネジを形成し、該雌ネジにＬ字釘フック等の各種形態の雄ネジを着脱可能とし、互換性のあるベット本体の係合部とし、
ベットカバーの係合部とベット本体の係合部を、互いにゴム製や繊維製等紐の先にフックやリングを形成した各種形態の伸び代の大きい伸縮性のある緊結材で連繋した請求項１に記載のすべり落ち防止寝具。
【請求項３】
上下ふとん，肌ぶとん，毛布，タオルケット，バスタオル，敷パット，シーツ，ふとんカバー，ベットカバー，防水パット等の寝具本体の四方周縁に連続した力布を形成し、該力布に複数のハト目穴等を形成して寝具本体の係合部とし、
ベット外枠やベットマット等のベット本体の周縁の三方向に複数の雌ネジを形成し、該雌ネジにＬ字釘フック等の各種形態の雄ネジを着脱可能とし、互換性のあるベット本体の係合部とし、
該寝具本体の係合部と該ベット本体の係合部を、互いにゴム製や繊維製等紐の先にフックやリングを形成した各種形態の伸び代の大きい伸縮性のある緊結材で連繋したすべり落ち防止寝具。